(57)【特許請求の範囲】
【請求項１】
ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、
前記検眼窓に取り付けられる所定の度数の補助レンズを検知する検知手段と、
前記検知手段の検知結果を基に前記検眼窓に取り付けられた補助レンズに対応付けられた度数を表示する表示手段と、
を有することを特徴とする自覚式検眼装置。
【請求項２】
ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、
自覚式検眼の途中で前記検眼窓に取り付けられる所定の球面度数又は円柱度数の補助レンズを検知する検知手段と、
前記検知手段の検知結果を基に、その補助レンズに対応付けられた球面度数分または円柱度数分を相殺するようなレンズが前記検眼窓に臨むように前記ディスクを回転駆動するディスク駆動部と、
を有することを特徴とする自覚式検眼装置。
【請求項３】
ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、
自覚式の検眼情報を表示する表示手段と、
前記検眼窓に取り付けられる所定の度数の補助レンズを検知する検知手段と、
前記検眼窓に取り付けられる所定の度数の補助レンズ複数個分のレンズ種類、度数データを記憶する記憶部と、
前記検知手段の検知結果に応じて前記検眼窓に取り付けられた補助レンズに対応するレンズ種類の度数データを記憶部から読み出し、表示手段に表示する制御手段と、
を有することを特徴とする自覚式検眼装置。
【請求項４】
前記検知手段は、前記検眼窓に取り付けられる補助レンズに設けられたレンズ種類、度数に応じて異なる位置に設けた検知部分を、光学的に検知する光センサ、磁気的に検知する磁気センサ、又は接触子の変位により検知するマイクロスイッチの中から選ばれるものである請求項１乃至３のいずれかに記載の自覚式検眼装置。
【発明の詳細な説明】
【０００１】
【発明の属する技術分野】
本発明は、自覚式検眼装置に関するものである。
【０００２】
【従来の技術】
従来の自覚式検眼装置においては、検眼ユニットの検眼窓に外部から稀にしか使用しない補助レンズが付加されても、当該補助レンズの度数を自動的に取り込めず度数の表示や度数の相殺が出来ず、検者が手入力で度数を変更しているのが実情である。
【０００３】
また、別の種類の自覚式検眼装置においては、内蔵の補助ディスク板に稀にしか使用しない補助レンズを搭載しており、補助ディスク板を駆動制御することにより、度数を自動的に取り込んで度数の表示や度数の相殺をしていた。
【０００４】
【発明が解決しようとする課題】
しかしながら、上述した従来装置の場合、外部に補助レンズを付加された際、当該補助レンズの度数を自動的に取り込めず、度数の表示や度数の相殺が出来ないため、検者が手入力で度数を変更しなければならず、ケアレスミスの発生により検眼結果が間違って記録されたり、正確な自覚式の測定を実行できなかったりするという課題があった。
【０００５】
また、上述した別の種類の自覚式検眼装置の場合においては、内蔵の補助ディスクに前記補助レンズを搭載しておいても、同じ補助ディスクには他の補助的フィルター等を搭載しており、補助的フィルター等を使用する際には前記補助レンズを使用することが出来なくなってしまい、自覚式検眼の進行に支障をきたすこととなる。
【０００６】
この場合、前記補助レンズのみを搭載する専用のディスクを内蔵することも考えられるが、補助レンズとしては、球面レンズ、円柱レンズに限っても２種類存在し、このため、２枚のディスクが付加されることとなって、検眼ユニットの厚さが増加し、大型化を招くとともに、いわゆるトンネル効果により器械近視の度合いが増え、常時正確な自覚式の測定が出来なくなるという課題が生じる。
【０００７】
本発明は、上記事情に鑑みてなされたものであり、検眼ユニットの厚さの増大を回避しつつ稀にしか使用しない補助レンズを使用しての自覚式検眼を円滑に実行することが可能な自覚式検眼装置を提供することを目的とするものである。
【０００８】
【課題を解決するための手段】
請求項１記載の発明は、ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、前記検眼窓に取り付けられる所定の度数の補助レンズを検知する検知手段と、前記検知手段の検知結果を基に前記検眼窓に取り付けられた補助レンズに対応付けられた度数を表示する表示手段とを有することを特徴とするものである。
【０００９】
この発明によれば、検知手段により検眼窓に取り付けられる所定の度数の補助レンズを検知し、前記検知手段の検知結果を基に、表示手段に前記検眼窓に取り付けられた補助レンズに対応付けられた度数を表示するものであるから、稀にしか使用しない補助レンズを使用する際の対応が容易となり、この際の自覚式検眼を円滑に実行できる。また、稀にしか使用しない補助レンズ用のディスクを検眼ユニット内に搭載する必要もなく、検眼ユニットの厚さの増大を回避できる。
【００１０】
請求項２記載の発明は、ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、自覚式検眼の途中で前記検眼窓に取り付けられる所定の球面度数又は円柱度数の補助レンズを検知する検知手段と、前記検知手段の検知結果を基に、その補助レンズに対応付けられた球面度数分または円柱度数分を相殺するようなレンズが前記検眼窓に臨むように前記ディスクを回転駆動するディスク駆動部とを有することを特徴とするものである。
【００１１】
この発明によれば、自覚式検眼の途中で検眼窓に所定の球面度数又は円柱度数の度数の補助レンズが取り付けられた場合、検知手段により検眼窓に取り付けられる前記補助レンズを検知し、その検知結果を基に、ディスク駆動部が当該補助レンズに対応付けられた球面度数分または円柱度数分を相殺するようなレンズが前記検眼窓に臨むように前記ディスクを回転駆動するので、稀にしか使用しない補助レンズを使用する際の球面度数または円柱度数の相殺を自動的に実行でき、この際の自覚式検眼を円滑に実行できる。また、稀にしか使用しない補助レンズ用のディスクを検眼ユニット内に搭載する必要もなく、検眼ユニットの厚さの増大を回避できる。
【００１２】
請求項３記載の発明は、ディスク毎に種類が異なり、個々に度数が異なるレンズ群が円形配置にならべられた複数枚のディスクを同軸配置に内蔵し、前記複数枚のディスクを回転駆動し複数のレンズにより所定の度数を合成して検眼ユニットの検眼窓に臨ませる自覚式検眼装置において、自覚式の検眼情報を表示する表示手段と、前記検眼窓に取り付けられる所定の度数の補助レンズを検知する検知手段と、前記検眼窓に取り付けられる所定の度数の補助レンズ複数個分のレンズ種類、度数データを記憶する記憶部と、前記検知手段の検知結果に応じて前記検眼窓に取り付けられた補助レンズに対応するレンズ種類の度数データを記憶部から読み出し、表示手段に表示する制御手段とを有することを特徴とするものである。
【００１３】
この発明によれば、検知手段により検眼窓に取り付けられる所定の度数の補助レンズを検知し、制御手段が前記検眼窓に取り付けられた補助レンズに対応するレンズ種類の度数データを記憶部から読み出し、表示手段に表示するものであるから、稀にしか使用しない補助レンズを使用する際に当該補助レンズの度数データの表示を自動的に実行でき、この際の自覚式検眼を円滑に実行できる。また、稀にしか使用しない補助レンズ用のディスクを検眼ユニット内に搭載する必要もなく、検眼ユニットの厚さの増大を回避できる。
【００１４】
請求項４記載の発明は、請求項１乃至３のいずれかに記載の自覚式検眼装置における前記検知手段は、前記検眼窓に取り付けられる補助レンズに設けられたレンズ種類、度数に応じて異なる位置に設けた検知部分を、光学的に検知する光センサ、磁気的に検知する磁気センサ、又は接触子の変位により検知するマイクロスイッチの中から選ばれることを特徴とするものである。
【００１５】
この発明によれば、光センサ、磁気センサ、マイクロスイッチのいずれかによる検知機能を利用して上述した各発明の作用を確実に発揮させることができる。
【００１６】
【発明の実施の形態】
以下に、本発明の実施の形態を詳細に説明する。
【００１７】
（実施の形態１）
図１に示す本発明の実施の形態１の検眼装置は、上面が平坦で、トライアルレンズ、掛枠テスト用フレーム等を入れる引き出し１ａを備え、被検者用の椅子１２を近傍に備えた検眼テーブル１と、この検眼テーブル１上に配置した各種検眼情報の入力操作を行う操作部２及び各種検眼情報の表示を行う表示手段である表示部１０と、前記検眼テーブル１の隅部から立設した上下方向に伸縮可能な支柱６と、この支柱６により支持された横アーム４と、この横アーム４の突出端部において支持された被検眼Ｅが覗き込む自覚式検眼用の検眼ユニット８とを有している。
【００１８】
また、横アーム４の突出端部からは、例えば電磁式のロック機構を搭載した操作アーム５が突出され、操作アーム５を操作することで、前記横アーム４とともに検眼ユニット８を支柱６を支軸として図１に示す矢印ａ、ｂ方向に回動させ、検眼ユニット８を図１に示す検眼位置とこの検眼位置から９０度程度回動した非検眼位置とに移動可能としている。
【００１９】
前記検眼ユニット８は、右眼用の右眼ユニット８ａと、左眼用の左眼ユニット８ｂとからなる分離配置に構成されるとともに、前記横アーム４に連結される調整機構部７により図１に示す矢印方向（水平方向）にスライド可能となっている。  また、前記検眼ユニット８の右眼ユニット８ａ、左眼ユニット８ｂは、各々右眼用、左眼用の検眼窓８ｃ、８ｄを備えている。
【００２０】
尚、図１において、９は前記支柱６に取り付けた照明装置である。
【００２１】
前記右眼ユニット５ａ及び左眼ユニット５ｂの例えば５ｍ前方には、ランドルト環、視力値チャート等の各種の視標を提示する図示しない視力表装置が配置されるようになっている。
【００２２】
前記操作部２は、図２に示すように、ランドルト環、視力値チャート等の各種の視標を設定する視標設定部４３、リセットキー４４、ファンクションキー４５、電源のオンオフキー４６、左眼、右眼、両眼の別を設定する被検眼設定キー４７、カバーテストキー４８、左眼用及び右眼用の検眼レンズの球面度数、円柱度数等を変更するプラスキー４９、マイナスキー５０、送りキー５１、視力値チャートの変更キー５２、マスクキー５３等が設けられている。
【００２３】
また、前記操作部２には、さらに、ヘルプキー５４、測定キー５５、固視標設定キー５６、球面度数（Ｓ）設定キー６１、円柱度数（Ｃ）設定キー６２、軸角度（Ａ）設定キー６３、ＡＤＤキー６４、ＰＤキー６５、プリズム設定キー６６、６７が設けられ、裸眼測定キー７１、眼鏡（メガネ）測定キー７２、前回処方値設定キー７３、処方値設定キー７４、記憶処理用の記憶キー７５、入力データを取り込むための入力キー７６、プリントキー７７、シフトキー７８、自動測定モード、マニュアル測定モードを設定するモード設定キー８３等を具備している。  前記表示部１０は、図３に示すように、表示面１０ａに、球面度数、円柱度数、軸角度、瞳孔間距離（ＰＤ）等を表示する数値示部３１、右眼、左眼、両眼を切り換える被検眼切替えエリア３２、検査項目の表示、球面度数等の切替え操作を行う操作エリア３３、プリントアウト、球面度数等の切替えステップの設定、プリズム角度の設定等の各種機能設定を行う機能選択エリア３４、完全矯正視力測定用等の視力値チャート、レッドグリーンチャート、クロスシリンダテストチャート、乱視テストチャート等に各々対応した複数の視標を一覧的に表示する検眼チャート表示欄３５、検査項目の選択に応じて複数の視標の内のいずれか一つを表示する視標表示欄３６等を表示するようになっている。
【００２４】
図４は、検眼ユニット８の概略断面を示すものであり、右眼用の右眼ユニット８ａ、左眼用の左眼ユニット８ｂの内部には、ディスク毎に球面レンズ、円柱レンズ、さらには、プリズムレンズというように種類が異なり、かつ、個々に度数が異なるレンズ群が各々円形配置にならべられた複数枚のディスクからなるディスク群１１１ａ、１１１ｂを同軸配置に内蔵し、前記複数枚のディスクを後述するユニット駆動部１６１により回転駆動して、複数のレンズにより所定の度数を合成し、右眼ユニット８ａ、左眼ユニット８ｂの各検眼窓８ｄ、８ｄに臨ませるようになっている。
【００２５】
また、右眼ユニット８ａの内部でかつ検眼窓８ｃの近傍には、検眼窓８ｃに取り付けられる詳細は後述する球面レンズ１２１等の所定の度数の補助レンズを検知する検知手段としてのセンサ１１０ａが、左眼ユニット８ｂの内部でかつ検眼窓８ｄの近傍には、検眼窓８ｄに取り付けられる詳細は後述する所定の度数の補助レンズを検知する検知手段としてのセンサ１１０ｂが各々設けられている。
【００２６】
補助レンズとしては、例えば図４に示すように、球面度数＋１０Ｄの球面レンズ１２１が使用される。補助レンズとしては、この他に、球面度数−１０Ｄの球面レンズ１２２、円柱度数−２Ｄの円柱レンズ１２３が使用される。
【００２７】
球面レンズ１２１、１２２、円柱レンズ１２３には、図４に示すように、各々そのレンズ保持筒１２４の外周部に、視軸Ｌx の方向に沿って異なる位置（ずれた位置）となる配置で検知部分である溝部１２１ａ、１２２ａ、１２３ａが設けられている。
【００２８】
前記センサ１１０ａ、１１０ｂは、同一構成であるため、ここではセンサ１１１ｂについて図５乃至図８を参照して説明する。
【００２９】
図５、図６は、補助レンズとしての球面レンズ１２１（球面レンズ１２２、円柱レンズ１２３についても同様）を光学的に検知する前記溝部１２１ａ、１２２ａ、１２３ａの位置ずれ間隔に対応した配置の光センサ１３１、１３２、１３３によりセンサ１１０ｂを構成した例を示すものである。
【００３０】
光センサ１３１は発光素子１３１ａ、受光素子１３１ｂにより、光センサ１３２は発光素子１３２ａ、受光素子１３２ｂにより、光センサ１３３は発光素子１３３ａ、受光素子１３３ｂにより構成され、各発光素子１３１ａ乃至１３１ｃからの発射光が前記各溝部１２１ａ、１２２ａ、１２３ａを透過して各受光素子１３２ａ乃至１３２ｃのうちのいずれにより受光されるかにより、前記球面レンズ１２１、１２２、円柱レンズ１２３を各々検知するようになっている。
【００３１】
図７は、補助レンズとしての球面レンズ１２１、１２２、円柱レンズ１２３を磁気的に検知する磁気検出部１４１乃至１４３からなる磁気センサ１４０によりセンサ１１０ｂを構成した例を示すものである。センサ１１０ａも同様に構成している。
【００３２】
この場合には、球面レンズ１２１、１２２、円柱レンズ１２３の各々レンズ保持筒１２４の外周部に、前記溝部１２１ａ、１２２ａ、１２３ａの場合と同様な位置ずれをもって磁性体からなる金属帯１４５を設けて、磁気検出部１４１乃至１４３により、前記球面レンズ１２１、１２２、円柱レンズ１２３を各々検知するようになっている。
【００３３】
図７は、補助レンズとしての球面レンズ１２１、１２２、円柱レンズ１２３を機械的変位をもって検知するマイクロスイッチ１５１乃至１５３からなるマイクロスイッチ群１５０によりセンサ１１０ｂを構成した例を示すものである。センサ１１０ａも同様に構成している。
【００３４】
この場合には、前記溝部１２１ａ、１２２ａ、１２３ａの位置ずれ間隔に対応した配置でマイクロスイッチ１５１乃至１５３を列設し、各マイクロスイッチ１５１乃至１５３の各接触子１５１ａ、１５２ａ、１５３ａの前記溝部１２１ａ、１２２ａ、１２３ａに対する当接の有無による変位に応じて、前記球面レンズ１２１、１２２、円柱レンズ１２３を各々検知するようになっている。図８はマイクロスイッチ１５１により球面レンズ１２１を検知している状態を示す。
【００３５】
図９は、本実施の形態の自覚式検眼装置の制御系の主要部のブロック図を示すものであり、全体の制御を行う制御部１６０に、この自覚式検眼装置の制御プログラムを格納したＲＯＭ１６２を接続するとともに、制御部１６０により前記ユニット駆動部１６１、センサ１１０ａ、１１０ｂ、操作部２、表示部１０の各動作を制御するようになっている。
【００３６】
また、制御部１６０に、前記球面レンズ１２１、球面レンズ１２２、円柱レンズ１２３の種類と、度数とを各々対応付けた補助レンズデータを格納している。
【００３７】
上述した構成の自覚式検眼装置により被検眼Ｅの自覚式検眼を実行する場合の処理の流れを、主に前記球面レンズ１２１、球面レンズ１２２、円柱レンズ１２３を使用する場合を例にとり、図１１をも参照して説明する。
【００３８】
例えば、検者が稀にしか使用しない前記球面レンズ１２１を左眼ユニット８ｂの検眼窓８ｄに装着すると（ステップＳ１）、前記検眼ユニット８にセンサ１１０ｂとして光センサ１３１を設けている場合には、発光素子１３１ａからの発射光が前記球面レンズ１２１の溝部１２１ａを透過して受光素子１３１ｂにより受光され、他の発光素子１３２ａ、１３３ａからの光は対応する受光素子１３２ｂ、１３３ｂに到達しないので、受光素子１３１ｂのみが検知信号を制御部１６０に送る（ステップＳ２）。
【００３９】
制御部１６０は、受光素子１３１ｂからの検知信号を基に球面レンズ１２１に対応する度数データを記憶部１７０から読み出し（ステップＳ３）、図３に示すように表示部１０の数値示部３１の左眼の欄に表示する（ステップＳ４）。他の球面レンズ１２２、円柱レンズ１２３の場合についても全く同様にして数値示部３１の左眼の欄に表示されることになる。
【００４０】
前記光センサ１３１の代りに前記磁気センサ１４０、マイクロスイッチ群１５０を前記検眼ユニット８に設けている場合についても、光センサ１３１の場合と同様に球面レンズ１２１等を検知することができる。
【００４１】
この結果、稀にしか使用しない＋１０Ｄの球面レンズ１２１等を左眼ユニット８ｂの検眼窓８ｄに装着した場合に、その度数データの表示を自動的に実行でき球面レンズ１２１の度数の把握が容易となり、ほとんどの自覚式検査の場合にも器械近視等の影響を回避しつつ被検眼Ｅの自覚式検眼を円滑に実行できる。
【００４２】
また、稀にしか使用しない球面レンズ１２１等等の補助レンズ用のディスクを検眼ユニット８内に搭載する必要もなくなり、検眼ユニット８の厚さの増大を回避できる。
【００４３】
さらに、上述した構成により、自覚式検眼の途中で例えば検眼窓８ｂに所定の球面度数又は円柱度数の上述したような補助レンズが取り付けられた場合、センサ１１０ｂにより検眼窓８ｄに取り付けられる前記補助レンズを検知し、その検知結果を基に、ユニット駆動部１６１が当該補助レンズに対応付けられた球面度数分または円柱度数分を相殺するようなレンズが前記検眼窓８ｂに臨むように前記ディスクを回転駆動することで、稀にしか使用しない補助レンズを使用する際の球面度数又は円柱度数の相殺動作を自動的に実行でき、この際の自覚式検眼を円滑に進行することができる。
【００４４】
以上の説明では、左眼ユニット８ｂに対して球面レンズ１２１等を装着する場合について説明したが、右眼ユニット８ａに対して球面レンズ１２１等を装着する場合の動作も上述した場合と同様に実行される。
【００４５】
さらに、上述した構成により、前記補助レンズも球面レンズや円柱レンズに限定されず、プリズムレンズ、近用のクロスシリンダーレンズ、偏光フィルター、レッドグーリンフィルタ等使用頻度の低いレンズ類やフィルター類を検眼ユニット８の外部に備えることが可能となる。
【００４６】
【発明の効果】
請求項１記載の発明によれば、稀にしか使用しない補助レンズを使用する際の対応が容易となり、この際の自覚式検眼を円滑に実行できるとともに、検眼ユニットの厚さの増大を回避できる自覚式検眼装置を提供できる。
【００４７】
請求項２記載の発明によれば、稀にしか使用しない補助レンズを使用する際の球面度数または円柱度数の相殺を自動的に行い自覚式検眼を円滑に実行できるとともに、検眼ユニットの厚さの増大を回避できる自覚式検眼装置を提供できる。
【００４８】
請求項３記載の発明によれば、稀にしか使用しない補助レンズを使用する際に当該補助レンズの度数データの表示を自動的に実行でき、この際の自覚式検眼を円滑に実行でき、また、検眼ユニットの厚さの増大を回避できる自覚式検眼装置を提供できる。
【００４９】
請求項４記載の発明によれば、光センサ、磁気センサ、マイクロスイッチのいずれかによる検知機能を利用して上述した各発明の作用を確実に発揮させることができる
【図面の簡単な説明】
【図１】本発明の自覚式検眼装置のを示す外観斜視図である。
【図２】本実施の形態の自覚式検眼装置の操作部の平面図である。
【図３】本実施の形態の自覚式検眼装置の表示部の平面図である。
【図４】本実施の形態の自覚式検眼装置の検眼ユニットの概略断面図である。
【図５】本実施の形態のセンサの一例である光センサを示す斜視図である。
【図６】本実施の形態のセンサの一例である光センサを示す概略図である。
【図７】本実施の形態のセンサの他例である磁気センサを示す斜視図である。
【図８】本実施の形態のセンサの別例であるマイクロスイッチを示す斜視図である。
【図９】本実施の形態の制御系のブロック図である。
【図１０】本実施の形態の制御部の記憶内容を示す説明図である。
【図１１】本実施の形態の補助レンズを使用する自覚式検眼動作を示すフローチャートである。
【符号の説明】
１  検眼テーブル
２  操作部
８ａ  検眼窓
８ｂ  検眼窓
１０  表示部
１０ａ  表示面
１１０ａ  センサ
１１０ｂ  センサ
１２１  球面レンズ
１２２  球面レンズ
１２１ａ  溝部
１２２  球面レンズ
１２３  円柱レンズ
１３１  光センサ
１３２ａ  発光素子
１３２ｂ  受光素子
１４０  磁気センサ
１４５  金属帯
１５０  マイクロスイッチ群
１６０  制御部
１６１  ユニット駆動部
１６２  ＲＯＭ
１７０  記憶部
【図１】
0004197202.tif 000002
【図２】
0004197202.tif 000003
【図３】
0004197202.tif 000004
【図４】
0004197202.tif 000005
【図５】
0004197202.tif 000006
【図６】
0004197202.tif 000007
【図７】
0004197202.tif 000008
【図８】
0004197202.tif 000009
【図９】
0004197202.tif 000010
【図１０】
0004197202.tif 000011
【図１１】
0004197202.tif 000012